(57)【要約】【課題】回転刃の回転方向上手側と下手側の２箇所に受刃を配置することで、切断性能の大幅アップを目的とする。【解決手段】 回転軸芯（９）を中心として回転する回転刃（１０）の回転方向で２箇所に受刃（１１）を配置して切断可能に構成し、上手側の受刃１１ａは後退角を大きくし、下手側の受刃（１１ｂ）は、上手側のそれよりも後退角を小さくしてある。【選択図】        図３
2020191850.tif 000002
【特許請求の範囲】
【請求項１】
回転軸芯（９）を中心として回転する回転刃（１０）の回転方向で２箇所に受刃（１１）を配置して切断可能に構成してあることを特徴とするコンバインの排稈切断装置。
【請求項２】
前記受刃（１１）のうちの回転方向で上手側に位置する上手側受刃（１１ａ）よりも、前記受刃（１１）のうちの回転方向で下手側に位置する下手側受刃（１１ｂ）の後退角を小さくしてあることを特徴とする請求項１記載のコンバインの排稈切断装置。
【請求項３】
前記受刃（１１）のうちの回転方向で上手側に位置する上手側受刃（１１ａ）と前記受刃（１１）のうちの回転方向で下手側に位置する下手側受刃（１１ｂ）は、後退角を同等とすると共に、前記上手側受刃（１１ａ）は、前記回転刃（１０）に対するラップ代を小さくし、前記下手側受刃（１１ｂ）は、前記回転刃（１０）に対するラップ代を大きくしてあることを特徴とする請求項１記載のコンバインの排稈切断装置。
【請求項４】
前記上手側受刃（１１ａ）又は前記下手側受刃（１１ｂ）は、回動固定自在に構成し、前記回転刃（１０）の非作用位置まで回動して収納可能に構成してあることを特徴とする請求項２または３に記載のコンバインの排稈切断装置。
【請求項５】
前記回転刃（１０）には、回転方向下手側の回動を規制するストッパ（１７）を設けてあることを特徴とする請求項１乃至４のいずれかに記載のコンバインの排稈切断装置。
【請求項６】
前記ストッパ（１７）は、前記回転刃（１０）の後退位置を任意調節可能に構成してあることを特徴とする請求項５に記載のコンバインの排稈切断装置
【発明の詳細な説明】
【技術分野】
【０００１】
この発明は、汎用コンバインの排稈切断装置に関する。
【背景技術】
【０００２】
従来、汎用コンバインにおいて、脱穀装置の後部には、脱穀処理に伴って排稈口から後方に排出される排稈や揺動選別棚から後方に排出されるワラ屑などの排塵処理物を受け入れて切断処理する排稈切断装置が配備されている。
【０００３】
従来のこの種排稈切断装置は、例えば、特許文献１によっても開示されているように、左右方向に所定間隔をあけて配備した固定受刃と、該固定受刃に対応して左右横方向の回転軸芯周りに回転する回転刃とからなる構成である。そして、その固定受刃は、回転方向には一箇所しか設けられていない。
【先行技術文献】
【特許文献】
【０００４】
【特許文献１】特開２０１８−１３００６７号公報
【発明の概要】
【発明が解決しようとする課題】
【０００５】
本発明の課題は、回転刃の回転方向上手側と下手側の２箇所に受刃を配置することで、切断性能の大幅アップを目的とする。
【課題を解決するための手段】
【０００６】
この発明は、上記課題を解決すべく次のような技術的手段を講じた。
【０００７】
すなわち、請求項１記載の本発明は、回転軸芯（９）を中心として回転する回転刃（１０）の回転方向で２箇所に受刃（１１）を配置して切断可能に構成してあることを特徴とする。
【０００８】
請求項２記載の本発明は、請求項１において、前記受刃（１１）のうちの回転方向で上手側に位置する上手側受刃（１１ａ）よりも、前記受刃（１１）のうちの回転方向で下手側に位置する下手側受刃（１１ｂ）の後退角を小さくしてあることを特徴とする。
【０００９】
請求項３記載の本発明は、請求項１において、前記受刃（１１）のうちの回転方向で上手側に位置する上手側受刃（１１ａ）と前記受刃（１１）のうちの回転方向で下手側に位置する下手側受刃（１１ｂ）は、後退角を同等とすると共に、前記上手側受刃（１１ａ）は、前記回転刃（１０）に対するラップ代を小さくし、前記下手側受刃（１１ｂ）は、前記回転刃（１０）に対するラップ代を大きくしてあることを特徴とする。
【００１０】
請求項４記載の本発明は、請求項２または３において、前記上手側受刃（１１ａ）又は前記下手側受刃（１１ｂ）は、回動固定自在に構成し、前記回転刃（１０）の非作用位置まで回動して収納可能に構成してあることを特徴とする。
【００１１】
請求項５記載の本発明は、請求項１乃至４のいずれかの請求項において、前記回転刃（１０）には、回転方向下手側の回動を規制するストッパ（１７）を設けてあることを特徴とする。
【００１２】
請求項６記載の本発明は、請求項５の請求項において、前記ストッパ（１７）は、前記回転刃（１０）の後退位置を任意調節可能に構成してあることを特徴とする。
【発明の効果】
【００１３】
以上要するに、請求項１記載の本発明によれば、回転刃の回転方向上手側と下手側の２箇所に受刃を配置することで、排稈の切断処理性能を大幅にアップすることができる。
【００１４】
請求項２記載の本発明によれば、請求項１記載の効果に加えて、上手側の受刃は後退角を大きくし、下手側の受刃は、上手側のそれよりも後退角を小さくすることで、上手側の受刃では切削抵抗が小さくて粗く切断することができ、下手側の受刃では、切削抵抗が大きく、細かく切断することができる。
【００１５】
請求項３記載の本発明によれば、請求項１又は請求項２記載の効果に加えて、上手側受刃と下手側受刃は、後退角を同等とするものでありながら、上手側受刃は、回転刃に対するラップ代を小さくし、下手側受刃は、回転刃に対するラップ代を大きくすることで、上手側の受刃では切削抵抗が小さく、粗く切断することができ、下手側の受刃では、切削抵抗が大きく、細かく切断することができる。
【００１６】
請求項４記載の本発明によれば、請求項２または３に記載の効果に加えて、上手側受刃又は下手側受刃は、回動固定自在に構成し、回転刃の非作用位置まで回動収納可能に構成してあるので、上手側受刃又は下手側受刃のいづれか一方側の作用を無くすことができ、負荷低減を図ることができ、作物の種類等によっても対処することができる。
【００１７】
請求項５記載の本発明によれば、請求項１乃至４のいずれかに記載の効果に加えて、回転刃には、回転方向下手側の回動を規制するストッパを設けることで、排稈切断抵抗によって回転刃が後退し過ぎて切断性能が低下するのを未然に防ぐことができる。
【００１８】
請求項６記載の本発明によれば、請求項５に記載の効果に加えて、ストッパは、回転刃の後退位置を任意調節できるように構成してあるので、排稈切断抵抗によって回転刃が後退し過ぎないよう適宜調節することができる。
【図面の簡単な説明】
【００１９】
【図１】本発明の実施の形態にかかる汎用コンバインの要部の切断側面図
【図２】同上コンバインの排稈切断装置の要部の切断背面図
【図３】同上要部の側断面図
【図４】本発明の実施の形態にかかる汎用コンバインの排稈切断装置の要部の側断面図
【図５】本発明の実施の形態にかかる汎用コンバインの排稈切断装置の要部の側断面図
【図６】本発明の実施の形態にかかる汎用コンバインの排稈切断装置の要部の側断面図
【図７】本発明の実施の形態にかかる汎用コンバインの排稈切断装置の要部の側断面図
【図８】同上排稈切断装置の要部の切断背面図
【図９】本発明の実施の形態にかかる汎用コンバインの排稈切断装置の要部の側断面図
【図１０】本発明の実施の形態にかかる汎用コンバインの排稈切断装置の要部の側断面図
【図１１】本発明の実施の形態にかかる汎用コンバインの排稈切断装置の要部の側断面図
【図１２】本発明の実施の形態にかかる汎用コンバインの排稈切断装置の要部の側断面図
【図１３】同上排稈切断装置の要部の切断背面図
【図１４】本発明の実施の形態にかかる汎用コンバインの排稈切断装置の要部の側断面図
【図１５】本発明の実施の形態にかかる汎用コンバインの排稈切断装置の要部の側断面図
【図１６】本発明の実施の形態にかかる汎用コンバインの排稈切断装置の要部の側断面図
【図１７】本発明の実施の形態にかかる汎用コンバインの排稈切断装置の要部の側断面図
【図１８】本発明の実施の形態にかかる汎用コンバインの排稈切断装置の要部の側断面図
【図１９】本発明の実施の形態にかかる汎用コンバインの排稈切断装置の要部の切断背面図
【図２０】本発明の実施の形態にかかる汎用コンバインの排稈切断装置の要部の切断背面図
【発明を実施するための形態】
【００２０】
この発明の実施例を図面に基づき説明する。
【００２１】
図１は、圃場に立毛する稲麦や菜種等の作物茎稈を自走しながら刈り取って収穫する汎用コンバインの要部を示す切断側面である。
【００２２】
汎用コンバイン１の刈取前処理部からの作物茎稈は、フィードコンベア２に受け継がれて揚上搬送され、脱穀部３の扱室４内に供給されて扱胴５の回転で脱穀処理されるようになっている。
【００２３】
扱室４の終端の排出口６から排出される排稈や、揺動選別棚７の終端から排出される藁屑などは、排稈切断装置（以下排稈チョッパーと云う）８によって細かく切断されるようになっている。
【００２４】
次に、排稈チョッパー８について具体的に説明すると、図２及び図３に示すように、回転軸９を中心として回転する回転刃１０の回転方向上手側と下手側の２箇所に受刃１１ａ，１１ｂを配置して、チョッパ室壁１２にボルト１３を介して締付固定された構成になっている。そして、上手側の受刃１１ａは後退角θ１を大きくし、下手側の受刃１１ｂは、上手側のそれよりも後退角θ２が小さく（θ１＞θ２）なるように構成している。従って、上手側の受刃１１ａでは切削抵抗が小さくて粗く切断することができ、下手側の受刃１１ｂでは、切削抵抗が大きくなって、細かく切断することができる。なお、受刃１１は、図２に示すように、回転刃１０を挟むようにコの字型に構成され、締付固定されるようになっている。
【００２５】
また、図４では、上手側受刃１１ａと下手側受刃１１ｂは、後退角を同等にしてあり、そして、上手側受刃１１ａは、回転刃１０に対するラップ代Ｌ１を小さくし、下手側受刃１１ｂは、回転刃１０に対するラップ代Ｌ２が大きくなるようになっている。これによっても、上手側の受刃１１ａでは切削抵抗が小さくて粗く切断することができ、下手側の受刃１１ｂでは、切削抵抗が大きくなって、細かく切断することができる。
【００２６】
図５或いは図６に示すように、上手側受刃１１ａ（図５参照）又は下手側受刃１１ｂ（図６参照）は、各受刃を横枠によって一体的に固定し、横軸を支点として回動可能に構成し、いづれか一方側の受刃を回転刃１０の非作用位置まで回動して収納できる構成としている。すなわち、受刃１１は、上手側或いは下手側のいづれか一方側のみ作用させるようにして、負荷の低減化を可能にしている。なお、一連の各受刃１１は、外側からワンタッチで回動操作できるように構成しておくのが望ましい。
【００２７】
また、図７及び図８に示すように、回転刃１０は、回転ドラム１４に固定した取付プレート１５にピン軸１６によって締付固定してあり、そして、各取付プレート１５には、回転刃の回転方向下手側の回動を規制するストッパ１７が設けられている。かかるストッパ１７は、回転刃１０の回動支点（ピン軸１６）よりも先端側近くに設けられ、切断抵抗によって回転刃が後退してもストッパ１７が作用し、後退し過ぎを防ぐことができる。図９に示すストッパ１７は、螺子体等によって任意微動調節できる構成になっている。
【００２８】
また、図１０に示すストッパ１７は、回転刃１０のピン軸１６より基部側に設けた構成としている。
【００２９】
また、図１１例では、回転刃１０の回転方向下手側と上手側とにストッパ１７ａ，１７ｂを設けた構成としている。なお、この時の回転刃の回動範囲はＲの範囲となっている
さらに、図１２及び図１３例では、１枚の回転刃取付プレート１５を挟む両側に回動式回転刃（ピン軸１６中心に回動）１０Ｌ，１０Ｒを設置し、片方の回転刃１０Ｒには、回転時の回転刃位置（ピン軸１６とチョッパ回転軸９とを結ぶ直線上）よりも、後退角をもつストッパ１７を設ける。なお、他方の回転刃１０Ｌ側にはストッパは設けない。このような構成によると、両方の回転刃が受刃１１の位置で作用を開始するタイミングがずれるので、負荷が低減できる。
【００３０】
また、図１４に示す例では、回転刃１０と受刃１１で排稈を切断する際、排稈の抵抗が大きいと回転刃１０は大きく後退するが、一定の後退角の時に、回転の基端部分が回転ドラム１４部分に接当し、それ以上には後退しないようになっている。
【００３１】
また、回転刃１０の刃面の形状について、図１５に示す例では、回転刃１０の形状が先端側ほど後退角が大きい円弧形状になっている。これによると、切削抵抗が小さく、負荷が低減できる。また、両刃を対称形にすると、取付プレート１５に対し、裏返して取り付けることで、反対側の刃を使用でき、刃の寿命がながく、長期にわたって使用できる。
【００３２】
また、受刃１１の形状も先端側ほど後退角が大きい円弧形状とすることで、切削抵抗が小さくなり、負荷が低減できる。なお、回転刃及び受刃の刃面を鋸刃状にしてもよい。
【００３３】
さらに、図１６に示す例では、回転刃１０が受刃１１とラップしている部分は、ギザギザの鋸刃１０ａ形状とし、受刃とラップしていない基端側部分はストレート刃１０ｂ形状としている。
【００３４】
また、図１７に示す例では、回転刃が斧状で、先端ほど幅広形状としている。これによると、回転刃自体の慣性力で切断力が増し、しかも、先端ほど幅広のため、慣性力が大きくなり、切断性能が向上する。また、回転刃長手方向両サイドの刃１０ｃ１，１０ｃ２に加えて、先端幅方向にも刃１０ｃ３を有する構成としている。先端幅面での切断により切断性能が向上する。
【００３５】
また、図１８に示す例のように、刃を有する側は幅の広がりがなく、反対側の刃を有さない側は幅が広がった斧型形状としてもよい。
【００３６】
また、図１９に示す例のように、回転刃の厚みが先端ほど厚くしたり、図２０に示す例のように、回転刃１０の回動支点（ピン軸１６）から受刃１１の間で、回転刃の厚みが厚くなっていると、慣性力が増し、切断性能が向上する。
【符号の説明】
【００３７】
８    排稈切断装置
９    回転軸
１０    回転刃
１１    受刃
１２    チョッパ室壁
１３    ボルト
１４    回転ドラム
１５    取付プレート
１６    ピン軸
１７    ストッパ
【図１】
2020191850.tif 000003
【図２】
2020191850.tif 000004
【図３】
2020191850.tif 000005
【図４】
2020191850.tif 000006
【図５】
2020191850.tif 000007
【図６】
2020191850.tif 000008
【図７】
2020191850.tif 000009
【図８】
2020191850.tif 000010
【図９】
2020191850.tif 000011
【図１０】
2020191850.tif 000012
【図１１】
2020191850.tif 000013
【図１２】
2020191850.tif 000014
【図１３】
2020191850.tif 000015
【図１４】
2020191850.tif 000016
【図１５】
2020191850.tif 000017
【図１６】
2020191850.tif 000018
【図１７】
2020191850.tif 000019
【図１８】
2020191850.tif 000020
【図１９】
2020191850.tif 000021
【図２０】
2020191850.tif 000022